Podtech/llm-jp-corpus-v4-ja_patent huggingface dataset:
【誤訳訂正書】
【提出日】平成31年4月23日(2019.4.23)
【誤訳訂正１】
【訂正対象書類名】明細書
【訂正対象項目名】００１０
【訂正方法】変更
【訂正の内容】
【００１０】
前記発泡セメント複合底板は、スチールフレーム、スチールトラス、ワイヤーメッシュ、無機発泡セメント芯材、上下セメントモルタル表面層を複合して構成され、前記ワイヤーメッシュとスチールフレームは接続して固定され、設計要件に応じて、前記ワイヤーメッシュは全体的に敷設又は部分的に敷設される。本発明の前記発泡セメント複合底板は床版であってもよい。
【誤訳訂正２】
【訂正対象書類名】明細書
【訂正対象項目名】００１１
【訂正方法】変更
【訂正の内容】
【００１１】
前記発泡セメント複合壁板は、スチールフレーム、上下ワイヤーメッシュ、上下ワイヤーメッシュに接続された複数のスチールリング、無機発泡セメント芯材、上下セメントモルタル表面層を複合して構成され、前記ワイヤーメッシュとスチールフレームは接続して固定され、設計要件に応じて、ワイヤーメッシュは全体的に敷設又は部分的に敷設される。
【誤訳訂正３】
【訂正対象書類名】明細書
【訂正対象項目名】００１２
【訂正方法】変更
【訂正の内容】
【００１２】
前記発泡セメント複合壁板の別の構造として、スチールフレーム、ワイヤーメッシュ、スチールトラス、無機発泡セメント芯材、上下セメントモルタル表面層を複合して構成され、前記ワイヤーメッシュとスチールフレームは接続して固定され、設計要件に応じて、前記ワイヤーメッシュは全体的に敷設又は部分的に敷設される。
【誤訳訂正４】
【訂正対象書類名】明細書
【訂正対象項目名】００１３
【訂正方法】変更
【訂正の内容】
【００１３】
前記発泡セメント複合天板は、スチールフレーム、ワイヤーメッシュ、スチールトラス、無機発泡セメント芯材、上下セメントモルタル表面層を複合して構成され、前記ワイヤーメッシュとスチールフレームは接続して固定され、設計要件に応じて、前記ワイヤーメッシュは全体的に敷設又は部分的に敷設される。
【誤訳訂正５】
【訂正対象書類名】明細書
【訂正対象項目名】００３３
【訂正方法】変更
【訂正の内容】
【００３３】
本発明の実施例では、前記発泡セメント複合底板１は、スチールフレーム１０１、スチールトラス１０２、ワイヤーメッシュ１０５、無機発泡セメント芯材１０３、上下セメントモルタル表面層１０４を複合して構成され、ワイヤーメッシュ１０５とスチールフレーム１０１は接続して固定され、設計要件に応じて、ワイヤーメッシュ１０５は全体的に敷設又は部分的に敷設される。 
【誤訳訂正６】
【訂正対象書類名】明細書
【訂正対象項目名】００３４
【訂正方法】変更
【訂正の内容】
【００３４】
前記発泡セメント複合壁板２又は発泡セメント複合壁板２’は、スチールフレーム１０１、スチールトラス１０２、無機発泡セメント芯材１０３、上下ワイヤーメッシュ１０５、上下ワイヤーメッシュ１０５に接続された複数の接続部品１０６、上下セメントモルタル表面層１０４を複合して構成され、ワイヤーメッシュ１０５とスチールフレーム１０１は接続して固定され、設計要件に応じて、ワイヤーメッシュ１０５は全体的に敷設又は部分的に敷設される。
【誤訳訂正７】
【訂正対象書類名】明細書
【訂正対象項目名】００３５
【訂正方法】変更
【訂正の内容】
【００３５】
前記発泡セメント複合天板３は、スチールフレーム１０１、ワイヤーメッシュ１０５、スチールトラス１０２、無機発泡セメント芯材１０３、上下セメントモルタル表面層１０４を複合して構成され、ワイヤーメッシュ１０５とスチールフレーム１０１は接続して固定され、設計要件に応じて、ワイヤーメッシュ１０５は全体的に敷設又は部分的に敷設される。
【誤訳訂正８】
【訂正対象書類名】明細書
【訂正対象項目名】００５８
【訂正方法】変更
【訂正の内容】
【００５８】
本発明によるアリ溝型エッジリブ構造を有する発泡セメント複合板は、大規模なプレハブ生産が可能であり、施工現場で積木と同様に機械的に組み立てることができるため、本発明は、簡便、迅速で且つ強固に取り付け作業を行え、施工現場のウェット操作を大幅に減少させて、施工に起因する環境汚染やノイズエミッションを軽減させる。本発明の発泡セメント複合板は、耐火限界≧４時間、防音≧４２デシベルで、構成原料が無機材料であり、非燃焼体であり、荷重性、保温性、断熱性、耐久性、抗震性に優れて、軽量で、優良な防火性と遮音性を有する。本発明は、省エネ・環境考慮型の建築用製品である。
【誤訳訂正９】
【訂正対象書類名】明細書
【訂正対象項目名】００５９
【訂正方法】変更
【訂正の内容】
【００５９】
発泡セメント複合底板１；発泡セメント複合壁板２、２’；
発泡セメント複合天板３；スチールフレーム１０１；スチールトラス１０２；無機発泡セメント芯材１０３；上下セメントモルタル表面層１０４；ワイヤーメッシュ１０５；接続部品１０６；
アリ溝型エッジリブ６；凹溝６１；補強リブ６２；
楔形ブロック７；孔７０；溝７１；
ネジ孔７２；ナット７３；ボルト７４；ボルトスリーブ７５；カバープレート７６；
直角形接続部品８；貫通孔８１；リブ板８２。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
試料容器内に収容された試料を定量化する方法であって、
試料を提供し、
異なる公称波長を有する複数のスペクトル及び複数の異なる露光で前記試料の画像を取得し、
前記複数のスペクトルのそれぞれにおける前記複数の異なる露光の前記画像から、最適に露光された画素を選択し、前記複数のスペクトルのそれぞれについて最適に露光された画像データを生成し、
血清又は血漿部分と、沈降した血液部分と、ゲルセパレータを使用する場合はゲルセパレータと、空気と、管と、ラベル、又はキャップのうちの１つ以上を含む１つ以上のクラスの種類に前記試料を分類し、
前記空気と前記血清又は血漿部分の間の気液界面の位置と、
前記血清又は血漿部分と前記沈降した血液部分の間の血清と血液の界面の位置と、
前記ゲルセパレータを使用する場合には、前記血清又は血漿部分と前記ゲルセパレータとの間の血清とゲルの界面の位置と、
前記ゲルセパレータを使用する場合には、前記沈降した血液部分と前記ゲルセパレータとの間の血液とゲルの界面の位置と、
血清又は血漿部分の体積又は深さの少なくとも１つと、
前記沈降した血液部分の体積又は深さの少なくとも１つと、
のうちの１つ以上を判定することにより前記試料を定量化する
ことを有する方法。
【請求項２】
前記複数のスペクトルと前記複数の露光時間における前記試料画像を取得することは、各視点に設けたカメラで複数の異なる視点から行う請求項１に記載の方法。
【請求項３】
前記複数の異なる視点は３つ以上である請求項２に記載の方法。
【請求項４】
前記試料は、前記沈降した血液部分と、前記血清又は血漿部分とを含む遠心分離された試料である請求項１〜３のいずれか１つに記載の方法。
【請求項５】
マルチクラス分類器に基づき前記試料を分類する請求項１〜４のいずれか１つに記載の方法。
【請求項６】
前記マルチクラス分類器は、複数のトレーニングセットから生成される請求項５に記載の方法。
【請求項７】
前記マルチクラス分類器は、さらにサポートベクトルマシンを有する請求項５又は６に記載の方法。
【請求項８】
前記血清又は血漿部分と、
前記沈降した血液部分と、
前記空気と前記血清又は血漿部分との間の気液界面と、
ゲルセパレータが存在する場合には血清とゲルとの界面又は血清と沈降した血液との界面と、
を識別する請求項１〜７のいずれか１つに記載の方法。
【請求項９】
前記空気と前記血清又は血漿部分との間の気液界面の位置を識別する請求項１〜８のいずれか１つに記載の方法。
【請求項１０】
血清と沈降した血液との界面の位置を識別する請求項１〜９のいずれか１つに記載の方法。
【請求項１１】
血清とゲルとの界面の位置を識別する請求項１〜１０のいずれか１つに記載の方法。
【請求項１２】
前記血清又は血漿部分の体積を計算する請求項１〜１１のいずれか１つに記載の方法。
【請求項１３】
前記沈降した血液部分の体積を計算する請求項１〜１２のいずれか１つに記載の方法。
【請求項１４】
前記試料容器の物理的寸法特徴を判定する請求項１〜１３のいずれか１つに記載の方法。
【請求項１５】
モンテカルロシミュレーション法により前記試料の１つ以上のクラスの種類へのセグメント化を検証する請求項１〜１４のいずれか１つに記載の方法。
【請求項１６】
試料を定量化するように構成された品質チェックモジュールであって、
異なる公称波長を有する複数のスペクトル及び複数の露光で、かつ異なる視点から、前記試料の画像を取得するように構成された複数のカメラと、
コンピュータであって、
前記複数のスペクトルのそれぞれにおける前記複数の異なる露光の前記画像から、最適に露光された画素を選択し、複数のスペクトルのそれぞれに対して最適に露光された画像データを生成し、
血清又は血漿部分と、沈降した血液部分と、ゲルセパレータを使用する場合はゲルセパレータと、空気と、管と、ラベル、又はキャップのうちの１つ以上を含む１つ以上のクラスの種類に前記試料を分類し、
前記空気と前記血清又は血漿部分との間の気液界面の位置と、
前記血清又は血漿部分と前記沈降した血液部分との間の血清と血液の界面の位置と、
前記血清又は血漿部分と、使用する場合は前記ゲルセパレータとの間の、血清とゲルの界面の位置と、
前記沈降した血液部分と、使用する場合は前記ゲルセパレータの間の血液とゲルの界面の位置と、
前記血清又は血漿部分の体積又は深さの少なくとも１つと、
前記沈降した血液部分の体積又は深さの少なくとも１つと、
のうちの１つ以上を判定することにより前記試料を定量化する
ように構成され操作可能なコンピュータと、
を有する品質チェックモジュール。
【請求項１７】
試料検査装置であって、
トラックと、
前記トラック上の品質チェックモジュールであって、
異なる公称波長を有する複数のスペクトル及び複数の異なる露光で、かつ異なる視点から、前記試料の画像を取得するように構成された複数のカメラと、
コンピュータであって、
前記複数のスペクトルのそれぞれにおける前記複数の異なる露光の前記画像から、最適に露光された画素を選択し、前記複数のスペクトルのそれぞれに対して最適に露光された画像データを生成し、
血清又は血漿部分と、沈降した血液部分と、ゲルセパレータを使用する場合はゲルセパレータと、空気と、管と、ラベル、又はキャップのうちの１つ以上を含む１つ以上のクラスの種類に前記試料を分類し、
前記空気と前記血清又は血漿部分との間の気液界面の位置と、
前記血清又は血漿部分と前記沈降した血液部分との間の血清と血液の界面の位置と、
前記ゲルセパレータを使用する場合は、前記血清又は血漿部分と前記ゲルセパレータとの間の、血清とゲルの界面の位置と、
前記ゲルセパレータを使用する場合は、前記沈降した血液部分と前記ゲルセパレータとの間の血液とゲルの界面の位置と、
前記血清又は血漿部分の体積又は深さの少なくとも１つと、
前記沈降した血液部分の体積又は深さの少なくとも１つと、
のうちの１つ以上を判定することにより前記試料を定量化する
ように構成され操作可能なコンピュータと、
を有する品質チェックモジュールと、
を有する試料検査装置。
【請求項１８】
試料容器内に収容された試料を定量化する方法であって、
試料容器に収容された試料を画像化位置に提供し、
前記試料の画像を取得し、
少なくとも血清又は血漿部分と沈降した血液部分とを含む前記試料の領域を判定し、
多変量レベルモデルからのレベル推定仮説を抽出し、
画像空間へレベル推定仮説をマッピングし、
前記領域内の信頼性を統合し、
それぞれの前記領域内の信頼性を最大化し、
信頼性を最大化するレベル推定仮説を選択する
ことを有する方法。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
試料容器内に収容された試料内のアーチファクトを判定する方法であって、
試料容器に分離され収容された試料を提供し、
複数の異なる露光及び複数の異なる波長で前記試料の画像をキャプチャし、
各波長における最適に露光された画像を生成するために、各波長における前記異なる露光で前記キャプチャされた画像から最適に露光された画素を選択し、
統計データを生成するために前記異なる波長で前記最適に露光された画素の統計を計算し、
前記統計データに基づいて前記試料の血清又は血漿部分を識別し、
前記統計データに基づいてアーチファクトが前記血清又は血漿部分の１つ以上の領域内に存在するか、又は前記血清又は血漿部分には存在しないかを分類する
ことを有する方法。
【請求項２】
前記アーチファクトが、凝塊、気泡又は泡の少なくとも１つを含む群から選択される請求項１に記載の方法。
【請求項３】
前記試料は遠心分離され、分離された血液部分と血清又は血漿部分とを有する請求項１又は２に記載の方法。
【請求項４】
前記試料の画像をキャプチャすることは、複数の視点から撮影された複数の画像をキャプチャすることを含む請求項１〜３のいずれか１つに記載の方法。
【請求項５】
前記複数の視点の数は３以上である請求項４に記載の方法。
【請求項６】
前記試料の提供は、前記試料を収容する前記試料容器を保持部に固定することを含む請求項１〜５のいずれか１つに記載の方法。
【請求項７】
前記複数の異なる波長は、約４００ｎｍから約７００ｎｍの間の少なくとも２つの波長を含む請求項１〜６のいずれか１つに記載の方法。
【請求項８】
前記複数の波長は、約４５５ｎｍ、約５３７ｎｍ、及び約６３４ｎｍの群から選択される少なくとも２つの波長を含む請求項１〜７のいずれか１つに記載の方法。
【請求項９】
前記複数の露光の時間は、約０．１ｍｓから約２５６ｍｓの間を含む請求項１〜８のいずれか１つに記載の方法。
【請求項１０】
最適に露光された画素を選択することは、０から２５５の強度範囲に基づいて約１８０から２５４の間の強度を含む画素を前記画像から選択することを含む請求項１〜９のいずれか１つに記載の方法。
【請求項１１】
血清又は血漿部分を識別することは、複数のトレーニングセットから生成されたマルチクラス分類器に基づいて、最適に露光された画像データの画素を分類することに基づく請求項１〜１０のいずれか１つに記載の方法。
【請求項１２】
前記マルチクラス分類器は、サポートベクトルマシン又はランダム判定ツリーをさらに含む請求項１１に記載の方法。
【請求項１３】
前記統計データに基づいて、アーチファクトが前記血清又は血漿部分の１つ以上の領域内に存在するか、又は前記血清又は血漿部分に存在しないかを分類することは、複数のアーチファクトトレーニングセットから生成された１つ以上の分類子に基づいている請求項１〜１２のいずれか１つに記載の方法。
【請求項１４】
前記１つ以上の分類子は、凝塊、気泡及び泡それぞれのための別々の２進分類子を有する請求項１３に記載の方法。
【請求項１５】
各波長についての前記最適に露光された画像データから前記最適に露光された画素の統計を計算することは、それぞれの波長からの対応する画素の集合から平均値、標準偏差、又は共分散のうちの少なくとも１つを計算することを含む請求項１〜１４のいずれか１つに記載の方法。
【請求項１６】
前記キャプチャした画像内のバーコードを解読することに基づいて前記試料の固有性を判定することを含む請求項１〜１５のいずれか１つに記載の方法。
【請求項１７】
３Ｄモデルを形成するために、前記試料の前記最適に露光された画像データをグループ化ことを有する請求項１〜１６のいずれか１つに記載の方法。
【請求項１８】
前記分離された試料の血清又は血漿部分を識別することは、前記画像内の保持部の一部分を無視する請求項１〜１７のいずれか１つに記載の方法。
【請求項１９】
試料容器内に収容された試料中のアーチファクトの存在を判定するように構成された品質チェックモジュールであって、
前記試料容器の周りに配置され、複数の視点から前記試料容器の複数の画像をキャプチャするように構成され、複数の異なる露光時間及び複数の異なる波長で撮影された複数の画像を生成するようにそれぞれ構成された複数のカメラと、
前記複数のカメラに接続され、前記画像から画像データを処理するように構成されたコンピュータであって、
それぞれの波長において最適に露光された画像データを生成するために、前記異なる露光時間で前記画像から最適に露光された画素を選択し、
統計データを生成するために、それぞれの前記波長で前記最適に露光された画素の統計を計算し、
前記試料の血清又は血漿部分を識別し、
前記統計データに基づいて、アーチファクトが血清又は血漿部分の１つ以上の領域内に存在するか、又は血清又は血漿部分に存在しないかを分類する
ように構成され操作可能な前記コンピュータと、
を有する品質チェックモジュール。
【請求項２０】
試料容器内に収容された試料中のアーチファクトの存在を判定するように構成された検査装置であって、
トラックと、
前記試料容器を収容するように構成された前記トラック上のキャリアと、
前記トラックの周囲に配置され、複数の視点から前記試料容器の複数の画像をキャプチャするように構成され、複数の異なる露光及び複数の異なる波長で複数の画像を生成するように構成された複数のカメラと、
前記カメラに接続され、前記複数の画像から画像データを処理するように構成されたコンピュータであって、
各波長に対して最適に露光された画像データを生成するために、前記異なる露光で前記複数の画像から最適に露光された画素を選択し、
統計データを生成するために前記異なる波長で前記最適に露光された画素の統計を計算し、
前記試料の血清又は血漿部分を識別し、
前記統計データに基づいて、アーチファクトが前記血清又は血漿部分の１つ以上の領域内に存在するか、又は前記血清又は血漿部分には存在しないか、を分類するように構成され操作可能なコンピュータと、
を有する検査装置。
【手続補正２】
【補正対象書類名】明細書
【補正対象項目名】００３５
【補正方法】変更
【補正の内容】
【００３５】
１つ以上の実施形態では、キャリア１２２は、１つの試料容器１０２を運ぶように構成されたパックであってもよい。いくつかの実施形態では、キャリア１２２は、停止または始動するようプログラムされた、試料容器１０２をトラック１２１の周りに移動させるように構成された、リニアモータなどのオンボード駆動モータを含む。キャリア１２２はそれぞれ、規定の直立位置に試料容器１０２を保持して固定するように構成されたホルダ（保持部）を含んでいてもよい。ホルダは、３本以上の細い梁を含んでいてもよい。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
患者の歯列のデジタルモデルから再構成された歯列のデジタルモデルを生成するためのコンピュータ実装方法であって、
矯正具、歯、および歯肉を含む第１の３Ｄデジタルメッシュ歯列モデルを取得することと、
前記第１の３Ｄデジタルメッシュ歯列モデルから前記矯正具のワイヤ部分を除去することによって第２の３Ｄデジタルメッシュ歯列モデルを生成することと、
前記第２の３Ｄデジタルメッシュ歯列モデルから前記矯正具のブラケット部分を除去することによって第３の３Ｄデジタルメッシュ歯列モデルを生成することと、
前記矯正具の前記ワイヤ部分および前記ブラケット部分によって以前に覆われていた、前記第３の３Ｄデジタルメッシュ歯列モデルの歯表面を再構成することと、
前記再構成された３Ｄデジタルメッシュ歯列モデルを表示、送信、または格納することとを含む、方法。
【請求項２】
前記矯正具のワイヤ部分を除去することが前記矯正具を複数のブラケット部分に分離する、請求項１に記載の方法。
【請求項３】
前記歯表面を再構成することは、穴充填アルゴリズムを使用し、前記穴充填アルゴリズムは、
最初に、ポリゴン充填プロセスを使用して前記第３の３Ｄデジタルメッシュ歯列モデルの複数の穴のそれぞれを充填し、パッチ当てされた表面を生成することと、
前記第３の３Ｄデジタルメッシュ歯列モデル内の前記パッチ当てされた表面を平滑化し、前記再構成された３Ｄデジタルメッシュ歯列モデルを生成することとを含む、請求項１に記載の方法。
【請求項４】
前記歯表面を再構成することは、前記矯正具が取り付けられる前の前記患者の事前に取得された３Ｄデジタルメッシュ歯列モデルからのデータを使用する、請求項１に記載の方法。
【請求項５】
前記再構成された３Ｄデジタルメッシュ歯列モデルは、前記矯正具を含まない、請求項１に記載の方法。
【請求項６】
前記取得された第１の３Ｄデジタルメッシュ歯列モデルに対して自動歯構成要素セグメンテーションを実行することと、自動セグメンテーション結果を表示することとをさらに含み、
前記自動セグメンテーション結果は、前記患者の歯茎組織と１つまたは複数の歯とを区別しており、前記自動セグメンテーション結果は、前記１つまたは複数の歯において個々の歯を互いに区別している、請求項１に記載の方法。
【請求項７】
オペレータ命令に従って前記自動セグメンテーション結果の対話型セグメンテーションを実行することをさらに含み、
前記自動セグメンテーション結果は、前記個々の歯を互いに区別している、請求項６に記載の方法。
【請求項８】
前記第２の３Ｄデジタルメッシュ歯列モデルから前記矯正具のブラケット部分を除去することは、
オペレータ命令に従って前記第２の３Ｄデジタルメッシュ歯列モデルに対して前記ブラケット部分の対話型セグメンテーションを実行することと、
制御論理プロセッサを使用して、前記第２の３Ｄデジタルメッシュ歯列モデルから前記セグメンテーションされたブラケット部分を除去することとを含む、請求項１に記載の方法。
【請求項９】
前記第１の３Ｄデジタルメッシュ歯列モデルを取得することは、手持ち口腔内カメラから複数の構造化光画像を取得することを含む、請求項１に記載の方法。
【請求項１０】
歯列のデジタルモデルを生成するように構成された装置であって、
矯正具、歯、および歯肉を含む患者の歯列の第１の３Ｄデジタルメッシュ歯列モデルを取得する手段と、
前記第１の３Ｄデジタルメッシュ歯列モデルから前記矯正具のワイヤ部分を除去することによって第２の３Ｄデジタルメッシュ歯列モデルを生成する手段と、
前記第２の３Ｄデジタルメッシュ歯列モデルから前記矯正具のブラケット部分を除去することによって第３の３Ｄデジタルメッシュ歯列モデルを生成する手段と、
前記矯正具の前記ワイヤ部分および前記ブラケット部分によって以前に覆われていた、前記第３の３Ｄデジタルメッシュ歯列モデルの歯表面を再構成する手段と、
前記再構成された３Ｄデジタルメッシュ歯列モデルを表示、格納、またはネットワークを通じて別のコンピュータに送信する手段とを備える、装置。
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
有効量の安息香酸リチウムを含む中枢神経系（CNS）疾患を治療する組成物であって、ここで、前記組成物が、それを必要とする対象に投与される、組成物。
【請求項２】
前記CNS疾患が、神経変性疾患である、請求項1に記載の組成物。
【請求項３】
前記神経変性疾患が、ハンチントン病、多系統萎縮症 （MSA）、脳卒中関連（seizure-associated）神経毒性、パーキンソン病、ミトコンドリア機能障害誘導性CNS障害、ミトコンドリア脳筋症・乳酸アシドーシス・脳卒中様発作症候群 (MELAS)、神経障害運動失調網膜色素変性症及び下垂症 （NARP）、筋神経胃腸脳症 (MNGIE)、レーバー遺伝性視神経萎縮症 (LHON)、リー症候群、アルツハイマー病、筋萎縮性側索硬化症（ALS）、ミオクローヌスてんかん、多発性硬化症、虚血性脳梗塞、血管性認知症、外傷性脳損傷、脊髄損傷、ダウン症、レビー小体型認知症 (LBD)、封入体筋炎 (sIBM)、又は散発性脳アミロイド血管症 (CAA)、前頭側頭型認知症 (FTD)、脆弱X症候群 (FXS)、脳室周囲白質軟化症、フリードライヒ運動失調症、ゴーシェ病、くも膜下出血、出産前後期の低酸素性虚血性脳症、進行性核上性麻痺 (PSP)、頭蓋内圧亢進、散発性クロイツフェルト・ヤコブ病、遅発性ジスキネジア、レット症候群、側索硬化症、遺伝性痙性対麻痺、進行性球麻痺、脊髄性筋萎縮症、又はX連鎖球脊髄性筋萎縮 (ケネディ病)である、請求項2に記載の組成物。
【請求項４】
前記CNS疾患が、酸化ストレス、活性酸素種の過剰産生、又はその両方に関連する、請求項1に記載の組成物。
【請求項５】
前記CNS疾患が、脳室周囲白質軟化症、フリードライヒ運動失調症、ゴーシェ病、くも膜下出血、出産前後期の低酸素性虚血性脳症、進行性核上性麻痺 (PSP)、頭蓋内圧亢進、散発性クロイツフェルト・ヤコブ病、遅発性ジスキネジア、レット症候群、又は運動ニューロン疾患である、請求項4に記載の組成物。
【請求項６】
前記運動ニューロン疾患が、ALS、ハンチントン病、原発性側索硬化症、遺伝性痙性対麻痺、脊髄性筋萎縮症、進行性球麻痺、脊髄性筋萎縮症、致死性先天性関節拘縮症候群、又はX連鎖球脊髄性筋萎縮 (ケネディ病)である、請求項5に記載の組成物。
【請求項７】
前記対象が、運動ニューロン機能に関連する遺伝子欠陥を有するヒト患者である、請求項1〜6の何れか1項に記載の組成物。
【請求項８】
前記ヒト患者が、突然変異スーパーオキシドジムスターゼ1（superoxide dismutase 1）（SOD1）遺伝子を有する、請求項7に記載の組成物。
【請求項９】
前記ヒト患者が、突然変異ハンチントン（HTT）遺伝子を有する、請求項7に記載の組成物。
【請求項１０】
前記対象が、ミトコンドリア機能障害を有するヒト患者である、請求項1〜6の何れか1項に記載の組成物。
【請求項１１】
前記対象が、中枢神経疾患を有する、又は有する疑いのあるヒト患者である、請求項1〜10の何れか1項に記載の組成物。
【請求項１２】
有効量の安息香酸リチウム化合物が、約5〜約150mg/kgの安息香酸リチウム化合物である、請求項1〜11の何れか1項に記載の組成物。
【請求項１３】
前記安息香酸リチウム化合物が、全身経路で投与される、請求項1〜12の何れか1項に記載の組成物。
【請求項１４】
前記全身経路が、経口投与又は非経口投与である、請求項13に記載の組成物。
【請求項１５】
前記対象に、安息香酸リチウム化合物を1日当たり4回〜月1回の頻度で投与する、請求項1〜14の何れか1項に記載の組成物。
【請求項１６】
前記対象が、他のCNS疾患の治療を受けている、1〜15の何れか1項に記載の組成物。
【請求項１７】
前記安息香酸リチウム化合物が、安息香酸リチウムである、1〜16の何れか1項に記載の組成物。
【請求項１８】
前記安息香酸リチウム化合物が、医薬組成物、医療用食品、又は健康食品である組成物に製剤化される、1〜17の何れか1項に記載の組成物。
【請求項１９】
前記CNS疾患が、疼痛疾患である、請求項1に記載の組成物。
【請求項２０】
前記対象が、急性疼痛、慢性疼痛、神経性疼痛、複合局所的疼痛症候群、又は糖尿病性神経障害、炎症、若しくは骨粗鬆症によって引き起こされる疼痛を患っているヒト患者である、請求項19に記載の組成物。
【請求項２１】
有効量の安息香酸リチウム化合物が、約5〜約150mg/kgである、請求項19〜20の何れか1項に記載の組成物。
【請求項２２】
前記組成物が、全身経路で投与される、請求項19〜21の何れか1項に記載の組成物。
【請求項２３】
前記全身経路が、経口投与又は非経口投与である、請求項22に記載の組成物。
【請求項２４】
前記対象に、前記組成物を1日当たり4回〜月1回の頻度で投与する、請求項19〜23の何れか1項に記載の組成物。
【請求項２５】
前記対象が、他の抗疼痛治療を受けている、請求項19〜24の何れか1項に記載の組成物。
【請求項２６】
前記組成物が、医薬組成物、医療用食品、又は健康食品である、請求項19〜25の何れか1項に記載の組成物。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
電子制御ユニットであるギア選択モジュール(210)での車両の複数のシフト位置の選択機構でのシフティングを制御する方法であって、
前記選択機構の前記複数のシフト位置のうちの現在の位置を識別すること、
前記選択機構の前記複数のシフト位置のうちの前記現在の位置から前記選択機構の前記複数のシフト位置のうちの新しい位置への、前記選択機構での変更意図を識別すること、
前記選択機構の位置の前記変更意図の検出と、通信チャネルを介して前記ギア選択モジュール(210)と接続されて電子制御ユニットであるトランスミッション制御モジュール(220)の作動信号を受信するまでと、の間のギア選択モジュール(210)自律制御手順を実行すること、
識別した前記選択機構の位置の前記変更意図を前記トランスミッション制御モジュール(220)に送信すること、
前記トランスミッション制御モジュール(220)から制御手順コマンドを受信すること、及び
前記トランスミッション制御モジュール(220)からの前記制御手順コマンドを受信する時に、前記ギア選択モジュール(210)自律制御手順からトランスミッション制御モジュール(220)制御手順に切り替えること、
を含む方法。
【請求項２】
請求項１に記載の方法であって、
前記選択機構の位置の前記変更意図の前記識別は、前記選択機構の前記複数のシフト位置のうちの前記現在の位置から前記選択機構の前記複数のシフト位置のうちの前記新しい位置に変更する意図を禁止された変更意図として識別すること、又は、前記変更意図に対して禁止された車両状態を識別することを含む、
方法。
【請求項３】
請求項２に記載の方法であって、
前記選択機構の位置の禁止された変更意図としての変更する意図の前記識別は、前記選択機構の前記複数のシフト位置のうちの禁止される変更位置の対を備える表を参照することを含む、
方法。
【請求項４】
請求項２に記載の方法であって、
前記選択機構の位置の前記変更意図に対して禁止された車両状態の前記識別は、車両速度を識別することを含む、
方法。
【請求項５】
請求項１乃至４の何れか１項に記載の方法であって、
前記選択機構の前記複数のシフト位置のうちの前記新しい位置への前記選択機構の位置の変更意図の前記識別は、(i) 前記選択機構の前記現在の位置から前記新しい位置への移動を識別すること、(ii) 運転者と前記選択機構との接触を識別すること、(iii) 前記選択機構に向かう接近移動を識別すること、(iv) 前記選択機構での温度変化を識別すること、及び、(v) 前記選択機構での圧力変化を識別すること、のうちの少なくとも１つの識別を含む、
方法。
【請求項６】
請求項１乃至５の何れか１項に記載の方法であって、
前記ギア選択モジュール(210)自律制御手順の実行は、(i) 前記選択機構の前記現在の位置から前記選択機構の前記新しい位置への変更をブロックすること、(ii) 前記選択機構の前記現在の位置から前記選択機構の前記新しい位置への変更に対する困難性を増加すること、及び、(iii) 前記ギア選択モジュール(210)を振動させること、のうちの少なくとも１つを含む、
方法。
【請求項７】
電子制御ユニットであるギア選択モジュール(210)での車両のシフト位置の選択機構でのシフティングを制御する装置であって、
前記選択機構の現在の位置を識別する手段と、
前記選択機構の前記現在の位置から前記選択機構の新しい位置への位置の変更意図を識別する手段と、
前記選択機構の位置の前記変更意図の検出と、通信チャネルを介して前記ギア選択モジュール(210)と接続されて電子制御ユニットであるトランスミッション制御モジュール(220)の作動信号を受信するまでと、の間のギア選択モジュール(210)自律制御手順を実行する手段と、
識別した前記選択機構の位置の前記変更意図を前記トランスミッション制御モジュール(220)に送信する手段と、
前記トランスミッション制御モジュール(220)から制御手順コマンドを受信する手段と、
前記トランスミッション制御モジュール(220)からの制御手順コマンドを受信する時に、前記ギア選択モジュール(210)自律制御手順からトランスミッション制御モジュール(220)制御手順に切り替える手段と、
を備える装置。
【請求項８】
請求項７に記載の装置であって、
前記選択機構の位置の前記変更意図を識別する前記手段は、前記選択機構の前記現在の位置から前記選択機構の前記新しい位置に変更する意図を禁止された変更意図として識別する手段、又は、前記変更意図に対して禁止された車両状態を識別する手段を含む、
装置。
【請求項９】
請求項８に記載の装置であって、
前記選択機構の前記現在の位置から前記選択機構の前記新しい位置に変更する意図を禁止された変更意図として識別する前記手段は、禁止される選択機構の変更位置の対を備える表を参照する手段を含む、
装置。
【請求項１０】
請求項８に記載の装置であって、
前記選択機構の位置の前記変更意図に対して禁止された車両状態を識別する前記手段は、車両速度を識別する手段を含む、
装置。
【請求項１１】
請求項７乃至１０の何れか１項に記載の装置であって、
前記選択機構の新しい位置への変更意図を識別する前記手段は、(i) 前記選択機構の前記現在の位置から前記選択機構の前記新しい位置への移動、(ii) 前記選択機構での温度変化、及び、(iii) 前記選択機構での圧力変化のうちの少なくとも１つを識別する手段を含む、
装置。
【請求項１２】
請求項７乃至１１の何れか１項に記載の装置であって、
ギア選択モジュール(210)自律制御手順を実行する前記手段は、(i) 前記選択機構の前記現在の位置から前記選択機構の前記新しい位置への変更をブロックする手段、(ii) 前記選択機構の前記現在の位置から前記選択機構の前記新しい位置への変更に追加労力を追加する手段、及び、(iii) 前記ギア選択モジュール(210)を振動させる手段のうちの少なくとも１つの手段を含む、
装置。
【請求項１３】
請求項７乃至１１の何れか１項に記載の装置であって、
前記トランスミッション制御モジュール(220)から受信した前記制御手順コマンドを実行する手段を
更に備える装置。
【請求項１４】
請求項１乃至６の何れか１項に記載のギア選択モジュール(210)での車両の複数のシフト位置の選択機構でのシフティングを制御する方法をコンピュータ・システムに実行させるためのプログラム命令を備えるコンピュータ・プログラム製品。
【請求項１５】
メモリ及びプロセッサを備えるコンピュータ・システムであって、
前記メモリに記録され、且つ、前記プロセッサによって実行可能である命令であって、請求項１乃至６の何れか１項に記載のギア選択モジュール(210)での車両の複数のシフト位置の選択機構でのシフティングを制御する方法を実行する機能を前記コンピュータ・システムに具備させる前記命令を
備えるコンピュータ・システム。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
飲用液を保存するための二重壁ポットであって、
−  飲用液を収容するための空洞（３４）を取り巻いて、少なくとも１つの支持面（４６）を形成している、内容器（１２）、および、
−  互いに着脱自在に接続可能な少なくとも２つのシェル（１６，１８）を有する外容器（１４）を含み、前記外容器（１４）が、接続状態において前記内容器（１２）を少なくとも部分的に取り巻いており、かつ、接続状態において前記支持面（４６）上に支持される、二重壁ポットにおいて、
前記外容器（１４）が、接続状態において前記少なくとも２つのシェル（１６，１８）を固定するための固定装置（２０）を有しており、前記固定装置（２０）が、前記少なくとも２つのシェル（１６，１８）を着脱自在に接続するためのスナップ式接続部（２２）を有することを特徴とする、二重壁ポット。
【請求項２】
前記内容器（１２）が縦軸（Ｌ）を画定しており、前記支持面（４６）が、前記内容器（１２）の縦軸（Ｌ）に対して傾斜している部分（４３）により形成されることを特徴とする、請求項１に記載の二重壁ポット。
【請求項３】
前記内容器（１２）が、前記空洞（３４）の中に飲用液を注ぎ、また前記空洞（３４）から飲用液を注ぐための、開口部（３６）を有しており、その際に前記開口部（３６）を始端として、前記内容器（１２）の縦軸（Ｌ）に対してフレア部（４２）を有しており、前記フレア部（４２）上に前記支持面（４６）が配置されていることを特徴とする、請求項２に記載の二重壁ポット。
【請求項４】
前記フレア部（４２）が、前記内容器（１２）の凸状に膨出した部分（４１）の一部であるか、または前記凸状に膨出した部分（４１）へと移行していることを特徴とする、請求項３に記載の二重壁ポット。
【請求項５】
前記開口部（３６）を始端として、かつ、縦軸（Ｌ）に対して前記内容器（１２）がテーパ部（３８）を有しており、前記テーパ部（３８）には前記フレア部（４２）が連続することを特徴とする、請求項３または４に記載の二重壁ポット。
【請求項６】
前記内容器（１２）が少なくとも１つの当接面（４８）を形成しており、前記外容器（１４）が接続状態において前記当接面（４８）と当接することを特徴とする、請求項１乃至５のいずれか１項に記載の二重壁ポット。
【請求項７】
前記外容器（１４）が第１のシール（５２）を有しており、前記第１のシール（５２）を利用して前記外容器（１４）が前記支持面（４６）上に支持されることを特徴とする、請求項１乃至６のいずれか１項に記載の二重壁ポット。
【請求項８】
前記内容器（１２）と前記外容器（１４）との間に空隙（５０）が形成されるように、前記外容器（１４）が接続状態において前記内容器（１２）を取り囲んでいることを特徴とする、請求項７に記載の二重壁ポット。
【請求項９】
前記第１のシール（５２）により前記空隙（５０）がシールされることを特徴とする、請求項８に記載の二重壁ポット。
【請求項１０】
前記外容器（１４）が、接続状態において前記少なくとも２つのシェル（１６，１８）を互いに対してシールする、第２のシール（５４）を有することを特徴とする、請求項１乃至９のいずれか１項に記載の二重壁ポット。
【請求項１１】
前記固定装置（２０）が、前記少なくとも２つのシェル（１６，１８）と接続可能な弾性ストラップ（３２）を含むことを特徴とする、請求項１乃至１０のいずれか１項に記載の二重壁ポット。
【請求項１２】
前記内容器（１２）がガラス製であり、前記外容器（１４）がプラスチック製であることを特徴とする、請求項１乃至１１のいずれか１項に記載の二重壁ポット。
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
複数の生物学的製品の容器（１６）の棚卸を行うための方法であって、それぞれの容器（１６）及び／又は容器（１６）を含むそれぞれの梱包物（１４）には、無線通信チップを含む識別ラベルが設けられ、前記方法が、以下の工程：
棚卸を行うための装置（１２）を提供する工程であって、前記装置（１２）が移動方向（Ｘ）を規定するガントリー（２６）を含み、前記ガントリーが２つの読取パネル（２８Ａ、２８Ｂ）を備え、前記読取パネル（２８Ａ、２８Ｂ）がそれぞれ少なくとも１つのアンテナ（Ａ１、Ａ２、Ｂ１、Ｂ２；Ａ、Ｂ）を含み、前記アンテナ（Ａ１、Ａ２、Ｂ１、Ｂ２；Ａ、Ｂ）が無線通信チップを読み取ることができる工程と、
棚卸が行われる複数の容器（１６）を含む可動な受け台（１０）を提供する工程と、
前記読取パネル（２８Ａ、２８Ｂ）の少なくとも１つにより、それぞれの容器（１６）及び／又はそれぞれの梱包物（１４）の前記無線通信チップを読み取る読取工程とを含む、方法。
【請求項２】
移動方向に前記ガントリー（２６）を横断させるように前記受け台（１０）を移動させる移動工程を含み、前記読取工程が前記受け台（１０）の移動の間に行われる、請求項１に記載の方法。
【請求項３】
前記ガントリー（２６）が、移動方向に沿って延在する少なくとも１つの案内部材（３４Ａ、３４Ｂ）を含む床（３０）を含み、それぞれの案内部材（３４Ａ、３４Ｂ）が、それぞれの読取パネル（２８Ａ、２８Ｂ）と関連し、かつ、移動方向に対し横断する方向に沿ったそれぞれの読取パネル（２８Ａ、２８Ｂ）から２０センチメートル（ｃｍ）未満の距離で配置され、それぞれの受け台（１０）が複数のキャスタ（１８）を備え、少なくとも１つのキャスタ（１８）が少なくとも１つの案内部材（３４Ａ、３４Ｂ）と協働するように設けられている、請求項２に記載の方法。
【請求項４】
前記移動工程及び前記読取工程が、制御した雰囲気を持つ囲いの中で行われる、請求項２又は３に記載の方法。
【請求項５】
前記受け台（１０）が、金属格子で形成された少なくとも１つの壁を備える、請求項１〜４のいずれか１項に記載の方法。
【請求項６】
前記読取パネル（２８Ａ、２８Ｂ）それぞれが、互いに隣り合って配置される無線通信チップを読み取ることができる複数のアンテナ（Ａ１、Ａ２、Ｂ１、Ｂ２）を含み、前記読取工程が、所定の時間の間、前記アンテナ（Ａ１、Ａ２、Ｂ１、Ｂ２）に電流を連続的に供給することで行われる、請求項１〜５のいずれか１項に記載の方法。
【請求項７】
読取パネル（２８Ａ、２８Ｂ）のアンテナ（Ａ１、Ａ２、Ｂ１、Ｂ２）が、ペアのアンテナ（Ａ１、Ｂ１；Ａ２、Ｂ２）を形成するように、別の読取パネル（２８Ａ、２８Ｂ）のアンテナ（Ａ１、Ａ２、Ｂ１、Ｂ２）と全単射的に関連している、請求項６に記載の方法。
【請求項８】
各ペアのアンテナ（Ａ１、Ｂ１；Ａ２、Ｂ２）に印加される電流が、以下の条件：同位相、９０°の位相シフト、及び１８０°の位相シフトのうちの１つを満たす、請求項７に記載の方法。
【請求項９】
それぞれの読取パネル（２８Ａ、２８Ｂ）が、２個のアンテナ（Ａ１、Ａ２、Ｂ１、Ｂ２）のみを含む、請求項１〜８のいずれか１項に記載の方法。
【請求項１０】
それぞれの読取パネル（２８Ａ、２８Ｂ）が、１個のアンテナ（Ａ、Ｂ）のみを含み、前記読取パネル（２８Ａ、２８Ｂ）の前記アンテナ（Ａ、Ｂ）が、ペアのアンテナを形成するように、全単射的に関連している、請求項１〜５のいずれか１項に記載の方法。
【請求項１１】
複数の生物学的製品の容器（１６）の棚卸を行うための装置（１２）であって、それぞれの容器（１６）及び／又は容器（１６）を含むそれぞれの梱包物（１４）には、無線通信チップを含む識別ラベルが設けられ、棚卸を行わなければならない複数の容器（１６）が受け台（１０）の一部であり、前記装置（１２）が、
移動方向（Ｘ）を規定するガントリー（２６）であって、前記ガントリーが２つの読取パネル（２８Ａ、２８Ｂ）を備え、前記読取パネル（２８Ａ、２８Ｂ）が、それぞれ少なくとも１つのアンテナ（Ａ１、Ａ２、Ｂ１、Ｂ２；Ａ、Ｂ）を含み、前記アンテナ（Ａ１、Ａ２、Ｂ１、Ｂ２；Ａ、Ｂ）が無線通信チップを読み取ることができる、ガントリー（２６）と、
それぞれの容器（１６）及び／又はそれぞれの梱包物（１４）の前記無線通信チップの読取パネル（２８Ａ、２８Ｂ）のうちの少なくとも１つによって読取工程を行うように前記アンテナ（Ａ１、Ａ２、Ｂ１、Ｂ２；Ａ、Ｂ）に命令するのに適したコントローラ（４０）を備える制御端末装置（２７）と備える、装置（１２）。
【請求項１２】
前記コントローラ（４０）が、移動方向に沿って前記ガントリー（２６）を横断させるための前記受け台（１０）の移動の間に、読取工程を行うように前記アンテナ（Ａ１、Ａ２、Ｂ１、Ｂ２；Ａ、Ｂ）に命令するのに適している、請求項１１に記載の装置。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
マルチアレイパッケージ設計のコンデンサーを選別する選別方法であって、
第１陽極を有する第１コンデンサー素子および第２陽極を有する第２コンデンサー素子をマルチアレイパッケージ内に並列配置することによって前記コンデンサーを形成する工程、
前記コンデンサーの定格電圧以上の電圧を印加する工程、
高温を前記コンデンサーに加える工程を有し、
前記コンデンサーの破壊電圧が改善するように前記電圧および温度は選択され、
前記コンデンサーのＤＣ漏れ電流を測定する工程、および
前記ＤＣ漏れ電流を所定最大値と比較する工程を有することを特徴とする選別方法。
【請求項２】
前記コンデンサーの定格電圧を超える電圧を印加する工程で、前記コンデンサーの定格電圧の約１３０％〜約２５０％の範囲から選択する電圧を印加する請求項１に記載の選別方法。
【請求項３】
前記コンデンサーの定格電圧を超える電圧を印加する工程で、前記定格電圧の約１．３倍〜約２倍の電圧を印加する請求項１に記載の選別方法。
【請求項４】
約８５℃〜約１５０℃の範囲から前記高温を選択する請求項１に記載の選別方法。
【請求項５】
さらに、前記コンデンサーのＤＣ漏れ電流が前記所定最大値ＤＣ漏れ電流を超えない場合に、前記コンデンサーを合格と判定する工程を有する請求項１に記載の選別方法。
【請求項６】
さらに、前記コンデンサーのＤＣ漏れ電流が前記所定最大値ＤＣ漏れ電流を超えた場合に、前記コンデンサーを不合格と判定する工程を有する請求項１に記載の選別方法。
【請求項７】
前記コンデンサー素子が陽極線を有し、これら陽極線を並列配置する請求項１に記載の選別方法。
【請求項８】
タンタル金属粉体をプレスし、焼結して、焼結タンタル陽極ペレットを形成する工程、
陽極酸化により各タンタル陽極ペレットの表面に誘電体を形成する工程、
前記陽極ペレットに導電性ポリマーを被覆して前記各タンタル陽極ペレットを処理し、陰極層を形成する工程、
前記陽極ペレットを被覆して、集電層を形成する工程、
基体に第１コンデンサー素子および第２コンデンサー素子を並列に組み付ける工程、
前記第１コンデンサー素子および第２コンデンサー素子の周囲にマルチアレイパッケージ体を成型する工程、
前記マルチアレイパッケージ体を個々のコンデンサーにダイシングする工程、
前記マルチアレイパッケージ体に終端部をメッキして、コンデンサーを形成する工程を有する方法によって第１コンデンサー素子および第２コンデンサー素子それぞれを形成する請求項１に記載の選別方法。
【請求項９】
前記コンデンサー素子が複数の陽極線を有し、これら陽極線を積み重ね配置する請求項１に記載の選別方法。
【請求項１０】
前記コンデンサーが複数の陽極を有し、これら陽極を積み重ね配置する請求項１に記載の選別方法。
【請求項１１】
マルチアレイパッケージ（ＭＡＰ）構成で構成したコンデンサーであって、
少なくとも二つのコンデンサー素子を収容する成型体を有し、これら少なくとも二つのコンデンサー素子を少なくとも一つの基体に接続し、そしてこれら少なくとも二つのコンデンサー素子それぞれが陰極端子に電気的に接続された陰極部分および陽極端子に電気的に接続された陽極部分を有することを特徴とするコンデンサー。
【請求項１２】
前記基体が第１基体および第２基体を有する請求項１１に記載のコンデンサー。
【請求項１３】
前記基体の一部を前記成型体に収容し、そして前記成型体および前記基体が前記コンデンサーの平坦面を形成する請求項１２に記載のコンデンサー。
【請求項１４】
前記の少なくとも二つのコンデンサー素子が、前記第１基体に接続された第１端部および前記第２基体に接続された第２端部を有する第１コンデンサー素子、および前記第１基体に接続された第１端部および前記第２基体に接続された第２端部を有する第２コンデンサー素子を有する請求項１２に記載のコンデンサー。
【請求項１５】
前記第１コンデンサー素子の前記第１端部および前記第２コンデンサー素子の前記第１端部に隣接する前記成型体の表面に前記陰極端子を設ける請求項１４に記載のコンデンサー。
【請求項１６】
前記第１コンデンサー素子の前記第２端部および前記第２コンデンサー素子の前記第２端部に隣接する前記成型体の表面に前記陽極端子を設ける請求項１５に記載のコンデンサー。
【請求項１７】
さらに、前記第１コンデンサー素子の前記陽極部分を前記陽極端子に電気的に接続する第１陽極線、および前記第２コンデンサー素子の前記陽極部分を前記陽極端子に電気的に接続する第２陽極線を有する請求項１６に記載のコンデンサー。
【請求項１８】
前記陰極部分を導電性陰極被覆で被覆する請求項１１に記載のコンデンサー。
【請求項１９】
前記の少なくとも二つのコンデンサー素子を並列配置する請求項１１に記載のコンデンサー。
【請求項２０】
前記の少なくとも二つのコンデンサー素子を積み重ね配置する請求項１１に記載のコンデンサー。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
関心構造物が所定の関心領域内にあるかを決定するように構成される磁気共鳴イメージングシステムであって、前記磁気共鳴イメージングシステムは、
-前記磁気共鳴システムに、以下のステップ、
- 第1のスライス位置からの磁気共鳴データの第1のスライス及び第2の、及び異なるスライス位置からの磁気共鳴データの第2のスライスを同時に取得するために、マルチバンド磁気共鳴イメージングシーケンスを適用し、前記第1のスライスは前記関心領域の第1の側の近くに位置決めされ、前記第2のスライスは前記関心領域の第2の側の近くに位置決めされる、ステップと、
-前記関心構造物が前記関心領域内にあるかについて、前記関心構造物及び/又はその周辺部についての事前知識及び磁気共鳴データの前記第1及び第2のスライスに基づいて決定する決定ステップと
を実行させる前記コンピュータプログラムコード手段を記憶するためのメモリ
を有し、前記磁気共鳴イメージングシステムは、前記コンピュータプログラムコード手段を実行するためのプロセッサをさらに有する、磁気共鳴イメージングシステム。
【請求項２】
後続する磁気共鳴イメージング取得をゲートするための前記決定ステップの結果を使用するようにさらに構成される、請求項１に記載の磁気共鳴イメージングシステム。
【請求項３】
前記事前知識は、前記関心構造物及び/又はその周辺部の少なくとも部分の以前の画像、又は前記関心構造物及び/又はその周辺部の少なくとも部分のアトラス又は形状モデルのうちの少なくとも1つにある、請求項１又は２に記載の磁気共鳴イメージングシステム。
【請求項４】
治療送達システムをさらに有し、前記治療送達システムは、前記決定ステップの結果に基づいて治療をガイドするように構成される、請求項１乃至３の何れか一項に記載の磁気共鳴イメージングシステム。
【請求項５】
前記磁気共鳴イメージングシステムは、前記関心構造物を追跡するようにさらに構成され、前記追跡は、前記第1及び第2のスライス位置を前記関心構造物の予測位置に調整することによって行われる、請求項４に記載の磁気共鳴イメージングシステム。
【請求項６】
前記追跡される位置に基づく治療計画のリアルタイム計算又は複数の予め計算される治療計画から治療計画を選択するようにさらに構成される、請求項５に記載の磁気共鳴イメージングシステム。
【請求項７】
前記第1及び第2のスライスは平行スライスである、請求項１乃至６の何れか一項に記載の磁気共鳴イメージングシステム。
【請求項８】
前記関心構造物の複数のスライスの第2のセットを取得するように構成され、前記第2のセットの前記複数のスライスは、前記第1及び第2のスライスと異なる方向及び／又は位置を有する、請求項１乃至７の何れか一項に記載の磁気共鳴イメージングシステム。
【請求項９】
前記関心構造物は、治療標的又はリスクのある器官である、請求項１乃至８の何れか一項に記載の磁気共鳴イメージングシステム。
【請求項１０】
関心構造物が所定の関心領域内にあるかを決定するように構成されるコンピュータプログラムプロダクトであって、前記コンピュータプログラムプロダクトは、磁気共鳴システムに、以下のステップ、
- 第1のスライス位置からの磁気共鳴データの第1のスライス及び第2の、及び異なるスライス位置からの磁気共鳴データの第2のスライスを同時に取得するために、マルチバンド磁気共鳴イメージングシーケンスを適用し、前記第1のスライスは前記関心領域の第1の側の近くに位置決めされ、前記第2のスライスは前記関心領域の第2の側の近くに位置決めされる、ステップと、
-前記関心構造物が前記関心領域内にあるかについて、前記関心構造物及び/又はその周辺部についての事前知識及び磁気共鳴データの前記第1及び第2のスライスに基づいて決定する決定ステップと
を実行させるためのプログラムコード手段を有する、コンピュータプログラムプロダクト。
【請求項１１】
前記コンピュータプログラムプロダクトは、前記磁気共鳴イメージングシステムに、後続する磁気共鳴イメージング取得をゲートするために前記決定ステップの結果を使用するステップを実行させるためのプログラムコード手段を更に有する、請求項１０に記載のコンピュータプログラムプロダクト。
【請求項１２】
前記コンピュータプログラムプロダクトは、前記決定ステップの結果に基づいて、治療送達システムに、治療をガイドするステップを実行させるプログラムコード手段をさらに有する、請求項１０又は１１に記載のコンピュータプログラムプロダクト。
【請求項１３】
前記コンピュータプログラムプロダクトは、前記磁気共鳴システムに前記関心構造物を追跡するステップを実行させるプログラムコード手段をさらに有し、前記追跡は、前記第1及び第2のスライス位置を前記関心構造物の予測位置に調整することによって実行される、請求項１０乃至１２の何れか一項に記載のコンピュータプログラムプロダクト。
【請求項１４】
前記コンピュータプログラムプロダクトは、前記磁気共鳴システムに、前記追跡される位置に基づく治療計画のリアルタイム計算又は複数の予め計算される治療計画から治療計画を選択するステップを実行させるためのプログラムコード手段をさらに有する、請求項１３に記載のコンピュータプログラムプロダクト。 
【請求項１５】
前記関心構造物は、治療標的又はリスクのある器官である、請求項１０乃至１４の何れか一項に記載のコンピュータプログラムプロダクト。